(57)【要約】【課題】薄型ディスプレイパネルを取付けることができ、高音質なステレオ音声を再生可能なディスプレイスタンド用スピーカ装置を提供する。【解決手段】スピーカ１５をそれぞれ内蔵した一対の縦長なスタンド１１と、この一対のスタンド１１それぞれに設けられ、ディスプレイパネル２１の両側面を取付固定する固定具１８，１９と、前記一対のスタンド１１内のそれぞれのスピーカ１５からの出力音の低音域を再生出力する音道２２を内蔵させたディスプレイスタンド用スピーカ装置。【選択図】      図１
2005027117.tif 000002
【特許請求の範囲】
【請求項１】
スピーカを内蔵した一対の縦長なスタンドと、
この一対のスタンドにそれぞれ設けられ、ディスプレイパネルの両側面を取付固定する取付固定手段と、
を具備したことを特徴とするディスプレイスタンド用スピーカ装置。
【請求項２】
前記一対のスタンド内には、前記スピーカの後方からの低音域音声を再生出力させる音道を有し、前記スタンドに前記音道を経由した音を放音する開口部を設けたことを特徴とする請求項１記載のディスプレイスタンド用スピーカ装置。
【請求項３】
前記一対のスタンドには、それぞれ複数の音域特性のスピーカを内蔵したことを特徴とする請求項１または２のいずれかに記載のディスプレイスタンド用スピーカ装置。
【請求項４】
前記取付固定手段により前記一対のスタンドの間に取付固定された前記ディスプレイパネルの下側中央部にセンタスピーカを取付配置したことを特徴とする請求項１乃至３のいずれかに記載のディスプレイスタンド用スピーカ装置。
【請求項５】
前記一対のスタンドは、前記ディスプレイパネルの取付位置の高さを調整可能にしたことを特徴とする請求項１乃至４のいずれかに記載のディスプレイスタンド用スピーカ装置。
【請求項６】
スピーカを内蔵した一対の縦長なスタンドと、
この一対のスタンドにそれぞれ設けられ、ディスプレイパネルの両側面を取付固定する取付固定手段と、
前記一対のスタンド同志を連結する連結具と、を具備したことを特徴とするディスプレイスタンド用スピーカ装置。
【発明の詳細な説明】
【０００１】
【発明の属する技術分野】
本発明は、プラズマディスプレイパネルや液晶ディスプレイパネル等のディスプレイパネルを、スピーカを内蔵したスタンドを用いて保持固定するディスプレイスタンド用スピーカ装置に関する。
【０００２】
【従来の技術】
近年、映像を大画面で再生表示するため、プラズマディスプレイパネル（以下、ＰＤＰと称する）や液晶ディスプレイパネル等が開発実用化されている。このＰＤＰや液晶ディスプレイパネルは、従来のブラウン管では実現が困難であった大画面化と、薄型化を実現することができる。
【０００３】
このＰＤＰや液晶ディスプレイパネルを例えばテレビ受像機として使用した場合、画面の大型化によりディスプレを支えるために専用のディスプレイスタンドが必要になってくる。
【０００４】
このような専用ディスプレイスタンドとして、例えば、特許文献１に記載されたものがある。この特許文献１に記載のディスプレイスタンドは、キャスターを有する後部脚体と、この後部脚体に接近あるいは離間できるように連結されたキャスターを有する前部脚体と、ディスプレイパネルを取付固定する台座に設けられ、前記後部脚体と前記前部脚体に上下摺動自在に支持される固定部とからなり、前記台座に取付固定されたディスプレイパネルの高さを調整する際に、前記固定部を前記後部脚体と前記前部脚体との間で上下摺動させると共に、前記後部脚体と前記前部脚体とを接近あるいは離間して前後長を調整することで、高さ位置を調整できるようにしている。
【０００５】
また、前記ディスプレイパネルは、大画面化と奥行きを薄くできることからディスプレイパネルの周辺部は、比較的単純化されている。例えば、テレビ信号の受信処理部はディスプレイパネルの内部に設けられ、スピーカはディスプレイパネルの背面側や、ディスプレイパネルの左右両サイドの枠内に配置されている。
【０００６】
【特許文献１】
特開２００３−６１０１０号公報
【０００７】
【発明が解決しようとする課題】
従来、ディスプレイパネルを設置するため、前記特許文献１に提案されているような専用ディスプレイスタンドが用いられているが、この専用ディスプレイスタンドは、前記ディスプレイパネルの重量が比較的重いために、画面の高さ位置に応じて、前部脚体と後部脚体を接近または離間させて、転倒を防止するようにしている。したがって、ディプレイスタンド自体が大きくなり、ディスプレイパネルの奥行きが薄くなっても設置スペースを小さくすることができないという課題がある。
【０００８】
また、ディスプレイパネルの大画面化により再生表示される映像も迫力ある映像となるが、この迫力ある映像に対して音声も迫力ある音の再生が望まれている。しかしながら、ディスプレイパネルの裏面側にスピーカを設けたり、あるいは、ディスプレイパネルにスピーカを内蔵したのでは、高音質の音の再生は望めない。そのため、高音質及び迫力ある音を再生するには、別売されている高音質用のスピーカをディスプレイパネルの左右に設置する等の対応が必要となる。
【０００９】
一方、前記別売の高音質用スピーカは、ディスプレイパネルの左右に正確に配置設定する必要があり、設置位置が不正確であったり、設置位置がずれたりすると、左右のスピーカから出力される音が正確に視聴者に伝わらずステレオ効果が半減するという課題があった。
【００１０】
更に、前記別売の高音質用スピーカボックスは、スピーカから出力される音によりボックスが前後に振動して出力音の音質が低下することがある。このため、別売のスピーカボックスを設置する場合には、設置位置のズレや振動が生じないように強固に設置する必要があった。
【００１１】
本発明は、このような事情に鑑みなされたもので、ディスプレイパネルの取付を可能とし、高音質でステレオ再生が可能なディスプレイスタンド用スピーカ装置を提供することを目的としている。
【００１２】
【課題を解決するための手段】
本発明のディスプレイスタンド用スピーカ装置は、スピーカを内蔵した一対の縦長なスタンドと、この一対のスタンドにそれぞれ設けられ、ディスプレイパネルの両側面を取付固定する取付固定手段と、を具備したことを特徴とする。
【００１３】
また、本発明のディスプレイスタンド用スピーカ装置は、スピーカを内蔵した一対の縦長なスタンドと、この一対のスタンドにそれぞれ設けられ、ディスプレイパネルの両側面を取付固定する取付固定手段と、前記一対のスタンド同志を連結する連結具と、を具備したことを特徴とする。
【００１４】
本発明のディスプレイスタンド用スピーカ装置によれば、ディスプレイパネルを安定して取付保持できると共に、高音質でステレオ感の良好な音を再生することができるディスプレイスタンド用スピーカ装置を提供できる。
【００１５】
【発明の実施の形態】
以下、図面を参照して本発明の実施の形態について詳細に説明する。図１、図２は、本発明のディスプレイスタンド用スピーカ装置の第１の実施形態を示すもので、図１は全体構成を示す斜視図、図２はスピーカ装置の内部構成を示す断面図である。
【００１６】
本発明のディスプレイスタンド用スピーカ装置は、図１に示すように、ディスプレイパネル２１の左右両側面を取付固定する一対のスタンド１１ａ，１１ｂを備えている。
【００１７】
この一対のスタンド１１ａ，１１ｂは、それぞれ略球形の頭部１２ａ，１２ｂと、この頭部１２ａ，１２ｂから垂下された円筒形状の支柱部１３ａ，１３ｂと、この支柱部１３ａ，１３ｂの下端に設けられた脚部１４ａ，１４ｂとから構成されている。
【００１８】
前記頭部１２ａ，１２ｂの内部には、スピーカ１５ａ，１５ｂが内蔵され、正面側には、スピーカ１５ａ，１５ｂからの音が出力される開口が設けられている。
【００１９】
この頭部１２ａ，１２ｂ内の空間は、前記円筒形状の支柱部１３ａ，１３ｂの内部空間を介して、前記脚部１４ａ，１４ｂへと連通している。
【００２０】
この脚部１４ａ，１４ｂは、前記支柱部１３ａ，１３ｂの外径よりも若干大きい外径状に形成されており、この脚部１４ａ，１４ｂの下端には、放音孔１６ａ，１６ｂが穿設されている。また脚部１４ａ，１４ｂは、それぞれ矩形状の平板からなる台座１７ａ，１７ｂに固定されている。
【００２１】
前記一対のスタンド１１ａ，１１ｂの頭部１２ａ，１２ｂ側面には、前記ディスプレイパネル２１の両側面の上部を取付固定する上部固定具１８ａ，１８ｂが設けられている。また支柱部１３ａ，１３ｂの外周には、前記ディスプレイパネル２１の両側面の下部を取付固定する下部固定具１９ａ，１９ｂが設けられている。この下部固定具１９ａ，１９ｂは、前記支柱部１３ａ，１３ｂに沿って上下に摺動可能で、かつ、所望の位置で固定可能に設けられている。
【００２２】
さらに前記スタンド１１ａ，１１ｂの台座１７ａ，１７ｂの間には、台座１７ａ，１７ｂ同士を保持して固定するための連結桿２０ａ，２０ｂが設けられており、この連結桿２０ａ，２０ｂは、長さの調整が可能となっている。
【００２３】
次に、このような構成のスタンド１１ａ，１１ｂにディスプレイパネル２１を取付ける方法を説明する。まず、前記スタンド１１ａ，１１ｂをディスプレイパネル２１の横方向寸法に合わせて離間して設置し、このスタンド１１ａ，１１ｂの頭部１２ａ，１２ｂに設けた上部固定具１８ａ，１８ｂで前記ディスプレイパネル２１の両側面上部を取付固定する。また、前記支柱部１３ａ，１３ｂに設けられた下部固定具１９ａ，１９ｂを前記ディスプレイパネル２１の縦方向寸法に合わせて摺動調整して固定し、かつ、下部固定部１９ａ，１９ｂで前記ディスプレイパネル１１の両側面下部を取付固定する。これにより、スタンド１１ａ，１１ｂの間にディスプレイパネル２１を取付ることができる。さらに固定後、前記台座１７ａ，１７ｂ間を連結桿２０ａ，２０ｂの長さを調整して取付固定する。
【００２４】
これにより、一対のスタンド１１ａ，１１ｂには、大きさの異なるディスプレイパネル２１でも取付固定が可能で、ディスプレイパネル２１の前後左右方向への振動や押圧力に対しても、安定して取付固定することができる。
【００２５】
次に、前記一対のスタンド１１ａ，１１ｂの内部構成について、図２を用いて説明する。なお、この一対のスタンド１１ａ，１１ｂは、それぞれ対称的な形状構造であるために、スタンド１１として説明する。
【００２６】
このスタンド１１の頭部１２の内部には球形状の空間を有している。この頭部１２の正面には、スピーカ開口１５ｘが設けられ、そのスピーカ開口１５ｘの内部側には、スピーカ１５が取り付け固定されるようになっている。
【００２７】
この頭部１２の内部の空間は、前記円筒状の支柱部１３の内部空間と、この支柱１３の下端に設けられた脚部１４の内部空間を介して、脚部１４の下端側に穿設された放音孔１６に連通している。この頭部１２、支柱部１３、及び脚部１４に架けて連通した空間は、音道２２を形成している。
【００２８】
この音道２２は、スピーカ１５の後方から出力される音を導くもので、この音道２２の中を音が伝播する間に中高音域が低減されて低音域の音声が放音孔１６から出力されるようになっている。
【００２９】
この音道２２に連通する前記脚部１４に穿設された放音孔１６は、脚部１４の少なくとも正面側の半円筒部分に所定角度間隔で設けた開口である。つまり、前記スピーカ１５の前方から出力された音は、図中点線矢印Ｘで示すように、ディスプレイパネル２１の正面に位置する視聴者に対して出力されると共に、前記スピーカ１５の後方から出力された音は、図中点線矢印Ｙで示すように、前記音道２２を介して前記放音孔１６から視聴者側へと出力されるようになっている。
【００３０】
前記スピーカ１５の前方から出力される音は、中高音域が主体であり、前記スピーカ１５の後方から出力される音は、音道２２で中高音域が減衰されて、低音域成分が放音孔１６から出力される。したがって、視聴者は、中高音域から低音域まで音域の広い音を聴取することができる。
【００３１】
このように、本発明のスタンド１１ａ，１１ｂは、ディスプレイパネル２１の取り付けと、広音域音声の再生とを実現可能にしたスピーカ装置となる。
【００３２】
また、前記一対のスタンド１１ａ，１１ｂは縦長形状であるが、前記ディスプレイパネル２１が比較的重量のものであるため、スピーカ装置全体が重くなり、スピーカ１５ａ，１５ｂからの出力音によってスタンド１１ａ，１１ｂが振動することを防止することでき、音質の良好な音を再生するこができる。つまり、ディスプレイパネルの重みを利用して高音質の音を出力することができる。
【００３３】
なお、前記支柱部１３ａ，１３ｂを伸縮自在とし、かつ、所望の位置で固定できるようにすることで、ディスプレイパネル２１の高さ位置も視聴者の希望に合わせて変更することができる。
【００３４】
次に、本発明のディスプレイスタンド用スピーカ装置の第２の実施形態を図３と図４を用いて説明する。なお、図３は全体構成を示す斜視図、図４はスピーカ装置の内部構成を示す断面図である。
【００３５】
本発明の第２の実施形態は、図３に示すように、ディスプレイパネル２１の左右両側面を取付固定する一対のスタンド３１ａ，３１ｂを備えている。
【００３６】
この一対のスタンド３１ａ，３１ｂは、それぞれ縦長の略矩形状の支柱部３２ａ，３２ｂと、この支柱部３２ａ，３２ｂの下端に設けられ、横幅と奥行き寸法が大きめの略矩形状の脚部３３ａ，３３ｂから成っている。
【００３７】
前記支柱部３２ａ，３２ｂの正面内部には、それぞれ音域特性の異なる、例えば、高音域スピーカ３４ａ，３４ｂ、中音域スピーカ３５ａ，３５ｂ、及び低音域スピーカ３６ａ，３６ｂがそれぞれ内蔵配置されており、各スピーカ３４ａ，３４ｂ，３５ａ，３５ｂ，３６ａ，３６ｂからの音が出力される開口が設けられている。
【００３８】
前記支柱部３２ａ，３２ｂのそれぞれの内部空間は、前記脚部３３ａ，３３ｂの内部空間へと連通している。この脚部３３ａ，３３ｂの内部には、後述する音道４３が設けられ、正面下部に放音孔３８ａ，３８ｂが穿設されている。また、この脚部３３ａ，３３ｂの底面には、台座３７ａ，３７ｂが取付固定されている。
【００３９】
前記一対の支柱部３２ａ，３２ｂの互いに対向する側面には、前記ディスプレイパネル２１の両側面を取付固定可能な固定具（図示せず）が設けられている。この一対の支柱部３２ａ，３２ｂの縦方向の長さは、少なくともディスプレイパネル２１の縦方向の形状寸法に合わせて略同一に形成されている。
【００４０】
この支柱部３２ａ，３２ｂの下端に設けられる脚部３３ａ，３３ｂは、前記支柱部３２ａ，３２ｂよりも横幅と奥行き寸法が大きく形成され、この脚部３３ａ，３３ｂのそれぞれの外側面は、前記支柱部３２ａ，３２ｂの外側面と面一となるように形成されている。この脚部３３ａ，３３ｂの上面部分には、前記ディスプレイパネル２１の左右下端が載置されるようになっている。
【００４１】
また、台座３７ａ，３７ｂ同士を連結するため、連結桿３９が設けられている。この連結桿３９は、スタンド３１ａ，３１ｂに前記ディスプレイパネル２１を取付固定後、前記スタンド３１ａ，３１ｂの間隔を維持するもので、図示していないが、長さが調整可能となっている。
【００４２】
このような構成のスタンド３１ａ，３１ｂにディスプレイパネル２１を取付ける方法について説明する。先ず前記スタンド３１ａ，３１ｂをディスプレイパネル２１の横寸法に合わせて並置し、このスタンド３１ａ，３１ｂの脚部３３ａ，３３ｂの上面部に前記ディスプレイパネル２１の左右下端を載置させる。次に、前記支柱部３２ａ，３２ｂの対向する側面に設けられた固定具で、前記ディスプレイパネル２１の両側面を取付固定し、前記スタンド３１ａ，３１ｂ間の間隔を維持するために、前記連結桿３９の長さを調整する。これにより、一対のスタンド３１ａ，３１ｂに、ディスプレイパネル２１を取付ることができる。
【００４３】
次に、前記一対のスタンド３１ａ，３１ｂの内部構成について、図４を用いて説明する。なお、この一対のスタンド３１ａ，３１ｂは、それぞれ対称的な形状構造であるために、スタンド３１として説明する。
【００４４】
このスタンド３１の支柱部３２は、前述したように、外形は縦長の矩形状で、内部には矩形状の空間を有している。この支柱部３２の正面には、前記複数のスピーカ３４，３５，３６からの音を放出する開口が設けられ、その開口の内側に複数のスピーカ３４，３５，３６が取り付け固定されている。
【００４５】
この支柱部３２の内部空間は、脚部３３の内部空間に連通しており、脚部３３の内部には、第１の音道壁４１と第２の音道壁４２により音道４３が形成されている。この第１の音道壁４１は、前記脚部３３の上面から垂下され、第２の音道壁４２は、前記脚部３３の底面から植立されている。つまり、脚部３３の内部空間を第１と第２の音道壁４１，４２で一部区切り、音の伝播通路である音道４３を形成している。この音道４３は、前記脚部３３の正面に設けられた放音孔３８に連通している。
【００４６】
この音道４３は、前述した第１の実施形態と同様に、スピーカ３４〜３６の後方から出力される音を導くもので、この音道４３の中を音が伝播する間に中高音域が低減されて低音域の音が放音孔３８から出力されるようになっている。
【００４７】
即ち、前記スピーカ３４〜３６の前方から出力された音は、図中の点線矢印Ｘで示すように出力され、前記スピーカ３４〜３６の後方から出力された音は、図中点線矢印Ｙで示すように、支柱部３２の内部空間と音道４３で中高音域が減衰されて、低音域が放音孔３８から出力される。
【００４８】
また、前記一対のスタンド３１ａ，３１ｂは、比較的重量の重いディスプレイパネル２１を取付固定したことにより、スピーカ装置全体を重くすることができ、スタンド３１ａ，３１ｂの振動を防止して、音質の良好な音を再生することができる。
【００４９】
なお、前記支柱部３２ａ，３２ｂを、例えば、脚部３３の内部空間に挿脱可能とすることで、ディスプレイパネル２１の高さ位置の調整を可能とすることもできる。
【００５０】
更に、音道４３は、音道壁４１，４２の設置位置や設置数により、距離を調整可能であり、低音域の再生効果を調整することもできる。
【００５１】
次に、本発明のディスプレイスタンド用スピーカ装置の応用例について、図５〜図６を参照して説明する。なお、図５〜図６はいずれも全体構成を示す斜視図であり、図１乃至図４と同一部分には、同一符号を付して詳細説明は省略する。
【００５２】
図５は、図１の実施形態の応用例であり、スタンド１１ａ，１１ｂの支柱部１３ａ，１３ｂに、摺動自在に取付固定された支柱固定部２３ａ，２３ｂと、これら支柱固定部２３ａ，２３ｂを連結するように架台２４を一体に設けたものである。
【００５３】
この架台２４は、ディスプレイパネル２１の下側面を保持固定するもので、この架台２４の中央部には、センタスピーカ２５が内蔵配置されている。
【００５４】
このようにセンタースピーカ２５を架台２４の中央部に内蔵させることにより、センタースピーカ２５を正確に中心部に配置させることができる。
【００５５】
なお、前記架台２４を略矩形状に形成し、この内部にチューナ等の信号処理回路や、映像・音声信号処理回路を内蔵させることも可能である。
【００５６】
図６は、図３の実施形態の応用例であり、一対のスタンド３１ａ，３１ｂの脚部３３ａ，３３ｂ間に矩形状の連結筐体５０を設け、この連結筐体５０の中央部に、超低域用のスーパーウーハスピーカ５１を内蔵配置したものである。なお、前記連結筐体５０の内部に、チューナ等の信号処理回路や、映像・音声信号処理回路を内蔵させることも可能である。この例によれば、スーパーウーハ５１の重さにより、スタンド３１ａ，３１ｂが転倒しにくくなり、さらにスピーカ装置全体を重くすることができ、スタンド３１ａ，３１ｂの振動を防止して、音質の良好な音を再生することができる。
【００５７】
また、前記連結筐体５０の上側に、棚板５２を配置することにより、例えば、ビデオ機器やアンプ機器等の各種電子機器を載置することもできる。
【００５８】
このように、センタースピーカ２５やスーパーウーハスピーカ５１を設置可能とすることにより、多チャンネルステレオ放送、例えば５．１チャンネルのステレオ放送用のセンタースピーカとして利用することができる。
【００５９】
尚、他の応用例も種々考えられる。例えば、図５の架台２４に代えて、スタンド１１ａ，１１ｂの支柱部１３ａ，１３ｂ間を強固に連結するため、鋼材等を用いてメカニカルに結合してもよい。これにより、２つのスピーカ装置がそれぞれバラバラに振動するのを防ぐことができる。
【００６０】
また、スピーカ１５ａ，１５ｂは、視聴者側に向けて所定の角度をつけて固定することにより、より正確なステレオ再生を実現することができる。また、スピーカ１５ａ，１５ｂは、ディスプレイパネル２１のセンターと同じ高さ位置に取り付けることにより、画像のセンターと音像のセンターを一致させることができ、より効果的な音声の再生が可能となる。
【００６１】
さらに、スピーカ装置から発生した音が、ディスプレイパネル２１の表面に当たって反射するのを避けるため、スピーカ装置とディスプレイパネル２１の間に透明な遮音パネルを取りつけたり、音声のみを聴きたいときにスピーカ装置から発生した音が、ディスプレイパネル２１の表面に当たって反射するのをさけるため、ディスプレイパネル２１を使用しないときは吸音材をディスプレイパネル２１の表面に被せるようにしてもよい。
【００６２】
以上説明したように、本発明のディスプレイスタンド用スピーカ装置は、ディスプレイパネルを取付固定することができ、かつ、一対のスタンド内には、スピーカの後方から出力される音の低音域の音を導き再生出力する音道を設けたことで広音域の音を再生でき、ディスプレイパネルの重みを利用してスタンドの振動を防ぐことができ、ステレオ効果の優れたスピーカ装置を提供することができる。
【００６３】
【発明の効果】
本発明のディスプレイスタンド用スピーカ装置は、ディスプレイパネルを所望の高さ位置に取付固定でき、スピーカを正確な位置に設定することができる。また、ディスプレイパネルの重さを利用する事によりスピーカ装置全体の重さを重くすることができ、不要な振動を抑え、質の高い音声を再生することができる。
【図面の簡単な説明】
【図１】本発明のディスプレイスタンド用スピーカ装置の第１の実施形態の全体構成を示す斜視図。
【図２】本発明のディスプレイスタンド用スピーカ装置の第１の実施形態の内部構成を示す断面図。
【図３】本発明のディスプレイスタンド用スピーカ装置の第２の実施形態の全体構成を示す斜視図。
【図４】本発明のディスプレイスタンド用スピーカ装置の第２の実施形態の内部構成を示す断面図。
【図５】本発明のディスプレイスタンド用スピーカ装置の第１の実施形態の応用例の全体構成を示す斜視図。
【図６】本発明のディスプレイスタンド用スピーカ装置の第２の実施形態の応用例の全体構成を示す斜視図。
【符号の説明】
１１…スタンド、１２…頭部、１３…支柱部、１４…脚部、１５…スピーカ、１６…放音孔、１７…台座、１８…上部固定具、１９…下部固定具、２１…ディスプレイパネル。
【図１】
2005027117.tif 000003
【図２】
2005027117.tif 000004
【図３】
2005027117.tif 000005
【図４】
2005027117.tif 000006
【図５】
2005027117.tif 000007
【図６】
2005027117.tif 000008